(57)【要約】【課題】製造が容易な回転ブラシを提供する。【解決手段】掻取部材１５とブラシ台１４とを一体的な押し出し成形により直線状に形成する。直線状の掻取部材１５をブラシ台１４とともにねじってブラシ台１４の外周面に螺旋状に突出させる。掻取部材１５をブラシ台１４に取り付ける作業が不要になる。回転ブラシ１３の組立て工程を少なくできる。ブラシ台１４および掻取部材１５を異なる樹脂にて成形する。掻取部材１５およびブラシ台１４の一体的な押し出し成形が容易になる。掻取部材１５およびブラシ台１４の硬度を調整できる。ブラシ台１４を掻取部材１５とともにねじる作業が容易になる。回転ブラシ１３の加工をより容易にできる。【選択図】        図１
2004261286.tif 000002
【特許請求の範囲】
【請求項１】
樹脂にて成形された略円筒状の取付部材と、
この取付部材とは異なる樹脂にて成形された第１の清掃部材とを具備し、
この第１の清掃部材が前記取付部材の外周面に軸方向に沿ってかつ径方向に突出してこの取付部材とともに一体的に成形されてから、これら取付部材および第１の清掃部材が前記取付部材の周方向に向けてねじられた
ことを特徴とした回転清掃体。
【請求項２】
取付部材は、この取付部材の外周面に軸方向に沿って周方向に向けて螺旋状にねじられて設けられた取付溝部を備え、
この取付溝部に基端側が係止されて、前記取付部材の外周面に軸方向に沿って周方向に向けて螺旋状にねじられて径方向に突出して取り付けられる第２の清掃部材を具備した
ことを特徴とした請求項１または２記載の回転清掃体。
【請求項３】
取付溝部は、取付部材より硬い
ことを特徴とした請求項２記載の回転清掃体。
【請求項４】
第１の清掃部材は、掻取部材であり、
第２の清掃部材は、磨き部材である
ことを特徴とした請求項２または３記載の回転清掃体。
【請求項５】
被掃除面と対向する下面に吸込口を開口したケース体と、
このケース体に前記被掃除面に対向して回転自在に軸支された請求項１ないし４いずれか記載の回転清掃体と
を具備したことを特徴とした電気掃除機の吸込口体。
【発明の詳細な説明】
【０００１】
【発明の属する技術分野】
本発明は、円筒状の取付部材の外周面に軸方向に沿ってかつ径方向に突出した清掃部材が取り付けられた回転清掃体およびこの回転清掃体を備えた電気掃除機の吸込口体に関する。
【０００２】
【従来の技術】
従来、この種の回転清掃体としての回転ブラシは、細長円筒状の取付部材としてのブラシ台を備えている。そして、このブラシ台の外周面には、軸方向に沿って螺旋状に巻回した断面凹状の複数の取付溝部としての係合凹部が設けられている。これら係合凹部は、ブラシ台の周方向に沿って互いに等間隔に離間された位置に設けられている。
【０００３】
さらに、これら係合凹部のそれぞれには、細長断面Ｖ字状の清掃部材としての掻取部材の基端側や、細長平板状の清掃部材としての磨き部材のそれぞれの基端側が交互に長手方向に沿って挿入されて係合されている。そして、これら掻取部材および磨き部材は、これら掻取部材および磨き部材の基端側がブラシ台の各係合凹部に係止されて、このブラシ台の外周面に対して螺旋状に巻回した状態で壁状に突出している（例えば、特許文献１参照。）。
【０００４】
【特許文献１】
特開平１０−３３４２８号公報（第３−５頁、図１および図２）
【０００５】
【発明が解決しようとする課題】
しかしながら、上述の回転清掃体では、ブラシ台の外周面に設けられた係合凹部に、掻取部材の基端側や、磨き部材の基端側を交互に係合させることにより、これら掻取部材および磨き部材をブラシ台の外周面に取り付けている。このため、これら掻取部材および磨き部材をブラシ台の外周面に取り付ける作業が必要であるので、回転ブラシの製造が容易ではないという問題を有している。
【０００６】
本発明は、このような点に鑑みなされたもので、製造がより容易な回転清掃体およびこの回転清掃体を備えた電気掃除機の吸込口体を提供することを目的とする。
【０００７】
【課題を解決するための手段】
本発明は、樹脂にて成形された略円筒状の取付部材の外周面に軸方向に沿ってかつ径方向に突出しこの取付部材とは異なる樹脂にて成形され第１の清掃部材を、この取付部材とともに一体的に成形してから、これら取付部材および第１の清掃部材を取付部材の周方向に向けてねじったものである。そして、第１の清掃部材を取付部材とともに一体的に成形してから、この取付部材とともに第１の清掃部材を周方向に向けてねじったことにより、第１の清掃部材を取付部材に取り付ける工程がなくなるので、組立て工程が少なくなる。また、これら第１の清掃部材および取付部材を異なる樹脂にて成形したため、この第１の清掃部材を取付部材とともにねじる作業が容易になるので、製造がより容易になる。
【０００８】
【発明の実施の形態】
以下、本発明の第１の実施の形態における電気掃除機の構成を図１ないし図４を参照して説明する。
【０００９】
図４において、１は掃除機本体で、この掃除機本体１は中空であり、内部に電動送風機２が収容されている。また、この掃除機本体１は、電動送風機２の駆動にて生じる吸気風とともに吸い込んだ塵埃を捕捉して集塵する。
【００１０】
さらに、この掃除機本体１の前側略中央には、外部から空気を吸引する本体吸込口３が開口されている。この本体吸込口３には、湾曲可能な細長略円筒状の接続管としてのホース体４が連通接続されている。このホース体４の先端には、電動送風機２の動作モードなどが選択可能な手許操作部５が設けられている。
【００１１】
そして、この手許操作部５には、掃除機本体１内の電動送風機２などの駆動状態を所定の状態に設定する複数の設定ボタン６が設けられているとともに、掃除する際に作業者が把持する把持部７が基端側に突設されている。また、この手許操作部５の先端には、伸縮可能な細長略円筒状の延長管８が着脱可能に連通接続されている。さらに、この延長管８の先端には、例えば室内の床面の絨毯などの上に設置させて、この絨毯上の塵埃を吸い込む床ブラシ９が着脱可能に連通接続されている。この床ブラシ９は、電気掃除機の吸込口体である。
【００１２】
また、この床ブラシ９は、図２および図３に示すように、前後方向である走行方向に対して横長で、後部略中央が後方に向けて突出する凸字状のケース体１１を備えている。このケース体１１における被掃除面としての床面と対向する下面には、細長矩形状の吸込口１２が開口形成されている。この吸込口１２は、ケース体１１の走行方向の前側に偏位した位置に設けられており、このケース体１１の走行方向に対する幅方向に沿った長手方向を有した横長矩形状に形成されている。
【００１３】
さらに、このケース体１１の吸込口１２の内側には、細長略円筒状の回転清掃体としての回転ブラシ１３が走行方向に向けて回転自在に軸支されて配設されている。この回転ブラシ１３は、ケース体１１の吸込口１２を床面に対向させた際に、この床面に対向するように取り付けられている。そして、この回転ブラシ１３は、図１ないし図３に示すように、長手筒状である細長略円筒状の取付部材としての清掃台であるブラシ台１４を備えている。このブラシ台１４の外周面には、略細長平板状の第１の清掃部材としてのブレード部材である複数、例えば２つの掻取部材１５が一体的な押し出し成形かつ二色成形により形成されている。
【００１４】
これら掻取部材１５は、ブラシ台１４の軸方向に沿って周方向に向けてスパイラル状である螺旋状にねじれた状態で設けられている。また、これら掻取部材１５は、周方向に間隔をおいて等間隔な位置に設けられており、ブラシ台１４の径方向に向けて壁状に突出している。さらに、これら掻取部材１５は、ブラシ台１４の外周面における反対側の位置に設けられている。言い換えると、これら掻取部材１５は、ブラシ台１４の径方向に沿った相対する位置に設けられている。
【００１５】
ここで、これら掻取部材１５およびブラシ台１４は、金型からの直線的な押し出し成形により直線的に一体的に多色成形（ダブルモールド）してから、これらブラシ台１４および掻取部材１５を周方向に向けて螺旋状にねじり、このねじった状態を硬化させて保持させることにより製造されている。すなわち、掻取部材１５は、ブラシ台１４とともによる押し出し成形の際には、このブラシ台１４の外周面に対して軸方向に沿ってかつ径方向に向けて平坦な直線状かつ壁状に突出している。そして、この掻取部材１５は、押し出し成形後のブラシ台１４とともによるねじり加工により、このブラシ台１４の外周面に対して周方向に向けて螺旋状にねじれた状態で、このブラシ台１４の径方向に向けて突出する。
【００１６】
さらに、ブラシ台１４は、掻取部材１５よりも硬い、例えばプラスチックなどの硬質な合成樹脂などの部材により成形されている。また、各掻取部材１５は、ブラシ台１４とは異なる材質および部材、すなわちこのブラシ台１４よりも軟らかい、例えば軟質塩化ビニルなどの軟質な合成樹脂などの部材により成形されている。
【００１７】
さらに、これら掻取部材１５は、高さ方向における基端側がブラシ台１４の外周面に対して一体的に設けられている。そして、これら掻取部材１５は、細長平板状で長手方向の一側両面に肉厚に膨出する掻き出し部１６を断面凹凸状に設けた弾性を有するブレード１７を備えている。このブレード１７の長手方向の他縁には、このブレード１７と同材質にて一体に細長略平板状のブレード取付部１８が形成されている。このブレード取付部１８は、ブラシ台１４と一体的に成形されている。
【００１８】
また、ブラシ台１４の外周面における各掻取部材１５の間には、断面略凹状の取付溝部としての取付凹部である係合凹部２１が複数、例えば２つ設けられている。これら係合凹部２１は、ブラシ台１４の軸方向に沿ってかつ周方向に向けて螺旋状にねじれた状態で、このブラシ台１４の外周面に設けられている。また、これら係合凹部２１は、長手方向を掻取部材１５の長手方向に沿わせた状態で、これら掻取部材１５間の中間部にそれぞれ設けられている。
【００１９】
なお、これら係合凹部２１は、ブラシ台１４を金型からの直線的な押し出し成形により成形した際には、このブラシ台１４の外周面に対して軸方向に沿って直線状に設けられている。そして、これら係合凹部１４は、押し出し成形された後のブラシ台１４を掻取部材１５とともに周方向に向けて螺旋状にねじり、このねじった状態を硬化させることにより、このブラシ台１４の外周面に対して周方向に向けて螺旋状にねじれた状態で、このブラシ台１４の外周面に形成されている。
【００２０】
さらに、これら係合凹部２１は、図１および図２に示すように、内部が周方向に幅広となる膨出部２２と、この膨出部２２から外周面に連通しこの膨出部２２より幅狭な連通部２３とにて、段差を設けて断面形状が先端幅狭爪状である凹状に形成されている。ここで、これら係合凹部２１の膨出部２２は、基端側が断面凹弧状に形成されており、先端側の内縁が基端側に対向した平面状に形成されている。
【００２１】
そして、これら各係合凹部２１には、第２の清掃部材としての磨き部材である略細長平板状のブラシ部材２５の基端側が係止されて取り付けられている。これらブラシ部材２５は、ブラシ台１４の外周面にこのブラシ台１４の軸方向に沿ってかつ周方向に向けて螺旋状にねじれた状態で取り付けられている。
【００２２】
また、これらブラシ部材２５は、ブラシ台１４の各係合凹部２１に基端側が係止された状態で、このブラシ台１４の径方向に向けて壁状に突出している。さらに、これらブラシ部材２５は、ブラシ台１４の係合凹部２１の断面形状に略合致した形状である細長略板状のブラシ取付部２６を備えている。このブラシ取付部２６は、軟質塩化ビニルなどにて成形されており、ブラシ台１４の係合凹部２１に対して係脱可能とされている。また、このブラシ取付部２６の表面部には、ブラシ毛２７が長手方向に沿って壁状に植設されている。
【００２３】
さらに、ブラシ台１４の各係合凹部２１と各掻取部材１５とのそれぞれの間には、軸方向に沿った断面略凹状の係止凹部２４がそれぞれ形成されている。これら係止凹部２４は、基端側から先端側に向かうに連れて徐々に拡開したテーパ状に形成されている。また、このブラシ台１４の同心状には、断面円形状の貫通孔としてのシャフト挿通孔３１が設けられている。
【００２４】
このシャフト挿通孔３１は、ブラシ台１４の両端部間を軸方向に沿って貫通している。そして、このシャフト挿通孔３１には、例えば鋼鉄やステンレス鋼（ＳＵＳ）などの金属にて成形された中空パイプ状の軸体としての回転軸であるシャフト３２が挿通される。そして、このシャフト３２は、ブラシ台１４より硬質な部材にて成形されており、このブラシ台１４の両端部から、このシャフト３２の両端部のそれぞれを突出させた状態で、このブラシ台１４のシャフト挿通孔３１に挿通されている。
【００２５】
また、このシャフト３２の両端部には、このシャフト３２の径方向に向けて貫通したピン挿通孔３３が穿設されている。これらピン挿通孔３３は互いに平行な軸方向を有している。また、これらピン挿通孔３３は、シャフト３２をブラシ台１４のシャフト挿通孔３１に挿通させた際に、このブラシ台１４の両端部から突出する位置に設けられている。さらに、シャフト３２の各ピン挿通孔３３よりも両端側には、このシャフト３２の周方向に沿った断面凹溝状の係合溝部３４が形成されている。これら係合溝部３４の外周面は、シャフト３２を回転させた際の抵抗を少なくするために研磨加工されて、表面の摩擦係数が小さくなるように設けられている。
【００２６】
さらに、ブラシ台１４の両端部には、図１ないし図３に示すように、保持部材としての受板である略円筒状の受体４１がそれぞれ同軸状に取り付けられている。これら受体４１は、ブラシ台１４のシャフト挿通孔３１に挿通されたシャフト３２の両端部に嵌合されて取り付けられている。また、これら受体４１は、ブラシ台１４よりも硬質な部材により成形されている。
【００２７】
そして、これら受体４１の中心部には、シャフト３２の端部が挿通される挿通孔４２が設けられている。この挿通孔４２の一端部である先端部の開口縁には、嵌合突部としての係止爪部４３が複数、例えば４つ略等間隔で設けられている。これら係止爪部４３は、各受体４１の先端部をブラシ台１４に嵌合させた際に、このブラシ台１４の各係止凹部２４に嵌合されてこのブラシ台１４の周方向への回転を防止して、このブラシ台１４をシャフト３２に固定させる。言い換えると、これら係止爪部４３は、ブラシ台１４の各係止凹部２４に引っ掛けられて固定されている。
【００２８】
また、これら係止爪部４３は、受体４１の挿通孔４２の開口方向である軸方向に沿って突出しており、ブラシ台１４の係止凹部２４に合致した断面形状を有している。さらに、これら係止爪部４３は、ブラシ台１４の端部を受体４１の先端部に嵌合させた際に、ブラシ台１４の係止凹部２４のそれぞれに軸方向に沿って嵌合される。また、これら係止爪部４３は、ブラシ台１４の周方向である回転方向へのずれを規制する。
【００２９】
さらに、これら係止爪部４３の基端部である受体４１の周面部には、この受体４１の挿通孔４２の周方向に沿って突出した円環状の内側鍔部４４が同心状に設けられている。この内側鍔部４４は、各係止爪部４３をブラシ台１４の一端の各係止凹部２４に軸方向に沿って移動させて嵌合させて、受体４１にブラシ台１４の一端部を係止した際に、このブラシ台１４の一端面が当接する。さらに、この内側鍔部４４は、ブラシ台１４の最大外径よりも若干大きな外径寸法を有しており、このブラシ台１４の係合凹部２１からのブラシ部材２５の抜けを防止する。
【００３０】
また、この内側鍔部４４よりも受体４１の先端側の周面部には、この受体４１の挿通孔４２の周方向に沿って突出した円環状の外側鍔部４５が同心状に設けられている。この外側鍔部４５の外周面側には、外周面に周方向に向けて等間隔にギア溝４６が形成された略円筒状の歯車部４７が同心状に設けられている。そして、この歯車部４７の先端側の内側には、略円筒状の軸受４８が嵌合されている。この軸受４８は、シャフト３２の端部に嵌合されて、このシャフト３２の端部を回転自在に固定する。なお、受体４１の歯車部４７は、軸受４８の外周面を覆って、この軸受４８への塵埃などの侵入を防止する。また、軸受４８の先端側の外周面には、側面視略矩形状の係合面部４９が形成されている。
【００３１】
ここで、床ブラシ９のケース体１１の吸込口１２の走行方向に対する両側縁のそれぞれには、一対の軸支凹部５１が区画形成されている。これら軸支凹部５１のそれぞれには、受体４１の歯車部４７内に嵌合されてシャフト３２の両端部を回転自在に固定した軸受４８の係合面部４９がそれぞれ係合される。この結果、これら軸受４８は、一対の軸支凹部５１間にシャフト３２を回転自在に支持して固定させる。
【００３２】
さらに、各受体４１の内側鍔部４４と外側鍔部４５との間には、これら受体４１の挿通孔４２の周方向に沿って突出した円環状の中間鍔部５２が同心状に設けられている。この中間鍔部５２は、内側鍔部４４および外側鍔部４５のそれぞれに対して並行に設けられている。そして、この中間鍔部５２と外側鍔部４５との間の受体４１の周面部には、ピン挿通孔５３が穿設されている。
【００３３】
このピン挿通孔５３は、各受体４１の径方向に沿って貫通している。また、これらピン挿通孔５３は、受体４１の挿通孔４２にシャフト３２を挿通させた状態で、このシャフト３２のピン挿通孔３３に連通する。そして、これらピン挿通孔５３は、シャフト３２のピン挿通孔３３に位置合わせされて連通された状態で、これらピン挿通孔３３，５３に細長円柱状のピン５４が挿入されて、受体４１とシャフト３２とを軸方向および周方向のそれぞれに対して連結固定させる。
【００３４】
一方、床ブラシ９のケース体１１内の一方の軸支凹部５１の後側には、駆動手段としてのモータ６１が収容されている。このモータ６１の先端部には、このモータ６１の駆動により回転する回転軸６２が突出している。この回転軸６２には、外周面に図示しないギア溝が形成された歯車６３が同心状に取り付けられている。この歯車６３のギア溝は、受体４１の歯車部４７のギア溝４６に等しい間隔および大きさに形成されている。さらに、この歯車６３は、床ブラシ９のケース体１１内に取り付けられた回転ブラシ１３の一方の受体４１の後側に位置し、この受体４１の回転方向に一致した回転方向を有している。
【００３５】
そして、この歯車６３と回転ブラシ１３の一方の受体４１の歯車部４７との間には、無端状の調帯としてのベルト体６４が橋し渡すように巻回されている。このベルト体６４の内周面には、歯車６３のギア溝および歯車部４７のギア溝４６のそれぞれに係合可能な間隔および大きさである図示しないギア溝が形成されている。したがって、モータ６１を駆動させることにより、このモータ６１の回転軸６２の回転により歯車６３が回転し、この歯車６３の回転によってベルト体６４が回転して回転ブラシ１３の一方の受体４１が回転し、この回転ブラシ１３が周方向に向けて回転駆動される。
【００３６】
次に、上記第１の実施の形態の掃除動作について説明する。
【００３７】
まず、掃除をする際には、掃除機本体１にホース体４および延長管８を介して床ブラシ９を接続する。そして、このホース体４の把持部７を持って押動させて、床ブラシ９を床面上で前後に走行させる。
【００３８】
このとき、掃除機本体１内の電動送風機２の駆動により発生する吸込力によって、床ブラシ９の吸込口１２から空気とともに床面上の塵埃が吸い込まれる。
【００３９】
さらに、ホース体４の手許操作部５の所定の設定ボタン６をオンして、床ブラシ９の回転ブラシ１３を回転駆動させた場合には、この回転ブラシ１３のブラシ部材２５の回転により、このブラシ部材２５のブラシ毛２７にて床面がブラッシングされる。すなわち、この床面が板の間などである場合には、この床面にこびりついた塵埃が床面から掃き取られて取り除かれて磨かれて、床ブラシ９の吸込口１２へと吸い込まれる。
【００４０】
同時に、この回転ブラシ１３の掻取部材１５の回転により、床面上の塵埃が掃き取られる。すなわち、この床面が絨毯などである場合には、掻取部材１５のブレード１７の掻き出し部１６によって、絨毯の中に入り込んだ塵埃が外部へと掻き出されて取り除かれて、床ブラシ９の吸込口１２へと吸い込まれる。
【００４１】
この後、この床ブラシ９の吸込口１２から塵埃とともに吸い込まれた空気は、この床ブラシ９から延長管８およびホース体４を順次介して掃除機本体１の本体吸込口３へと吸い込まれた後、この掃除機本体１内に収容させた集塵パックへと吸い込まれて空気とともに吸い込んだ塵埃が捕捉される。
【００４２】
上述したように、上記第１の実施の形態によれば、掻取部材１５とブラシ台１４とを一体的な成形であるダブルモールドにて直線状に成形してから、これらブラシ台１４および掻取部材１５を周方向に向けて螺旋状にねじり加工して、このブラシ台１４の外周面に掻取部材１５を螺旋状に突出させた。この結果、ブラシ台１４に設けた係合凹部２１に掻取部材１５の基端側を挿入させて係止させるなどの、この掻取部材１５をブラシ台１４に取り付ける作業工程が不要となる。よって、回転ブラシ１３の組立て工程を少なくできるから、この回転ブラシ１３を組み立てる際の手間やコストを少なくできるので、この回転ブラシ１３の製造をより容易にできる。
【００４３】
特に、これら掻取部材１５とブラシ台１４とのそれぞれを種類が異なる合成樹脂、例えば軟質塩化ビニルおよびプラスチックにて二色成形し、これら掻取部材１５およびブラシ台１４の硬さを異ならせたことにより、これら掻取部材１５およびブラシ台１４の一体的な押し出し成形が容易にできるとともに、これら掻取部材１５およびブラシ台１４の硬度が調整可能となる。この結果、ブラシ台１４をアルミニウムなどの金属にて成形した場合に比べ、ブラシ台１４をねじる作業が容易になるので、ブラシ台１４および掻取部材１５のねじり加工をより容易にできる。よって、回転ブラシ１３の加工工程がより容易になるから、この回転ブラシ１３の製造性をより向上できる。
【００４４】
また、掻取部材１５をブラシ台１４とともに一体的な押し出し成形により直線状に製造してから、これらブラシ台１４および掻取部材１５を周方向に向けて螺旋状にねじり加工したことにより、これらブラシ台１４および掻取部材１５を一体的にねじり押し出し成形する場合に比べ、これらブラシ台１４および掻取部材１５を一体的に押し出し成形する際に用いられる金型の構成が簡略になるので、この金型の製造コストを削減できる。よって、これらブラシ台１４および掻取部材１５を製造する際の製造コストを削減できるので、回転ブラシ１３の製造性をより向上できる。
【００４５】
このとき、ブラシ台１４は、ブラシ部材２５を確実に保持するとともに、掻取部材１５を確実に支持するためにある程度の硬さが必要であるので、このブラシ台１４を硬質なプラスチックなどの合成樹脂で成形した。この結果、このブラシ台１４によりブラシ部材２５を確実に保持できるとともに、このブラシ台１４によって掻取部材１５を確実に支持できる。したがって、ブラシ台１４をある程度硬質にすることにより、掻取部材１５およびブラシ部材２５による床面の掃除能力をより向上できる。また同時に、掻取部材１５をブラシ台１４よりも軟質な軟質塩化ビニルなどにて成形したことにより、ブラシ台１４の回転時に掻取部材１５が床面に接触することにより生じ得る床面の傷付きや破損を防止できる。
【００４６】
さらに、ブラシ台１４の外周面に螺旋状にねじられた係合凹部２１を設け、これら係合凹部２１にブラシ部材２５の基端側を係合させて、これらブラシ部材２５がブラシ台１４の外周面に螺旋状にねじられた状態で取り付けられる構成とした。この結果、ブラシ台１４とは一体成形が不可能な、掻取部材１５とは異なる掃除能力を有する清掃部材、例えばブラシ部材２５や、起毛布などにより構成された床磨き部材などの清掃部材をブラシ台１４に容易に取り付けることができる。したがって、このブラシ台１４の外周面に複数種の清掃部材を必要に応じて取り付けることができるので、回転ブラシ１３の汎用性を向上でき、この回転ブラシ１３の清掃性能をより向上できる。
【００４７】
なお、上記第１の実施の形態では、ブラシ台１４の外周面に凹状の係合凹部２１を形成したが、図５に示す第２の実施の形態のように、これら係合凹部２１の内側に、ブラシ台１４とは別部材の断面凹状の取付溝部としての係合部材７１を埋設させて、これらブラシ台１４および係合部材７１を一体的な押し出し成形により製造することもできる。
【００４８】
具体的に、この係合部材７１は、側面視凹状である細長溝状であり、ブラシ台１４の各係合凹部２１の内側に一体的に取り付けられている。また、この係合部材７１は、ブラシ台１４よりも硬いプラスチックなどの硬質な部材あるいは材料により構成されている。さらに、この係合部材７１の表面側の中央には、係合凹部２１の膨出部２２および連通部２３の基端側を構成する係合溝部７２が長手方向に沿って形成されている。また、係合部材７１の裏面側には、シャフト挿通孔３１の周面部に略並行な凹弧状の底面部７３が形成されている。
【００４９】
この結果、ブラシ台１４の係合凹部２１の内側に係合部材７１が埋設されるように、これらブラシ台１４および係合部材７１を一体成形することにより、このブラシ台１４全体を硬質な部材にて成形することなく、このブラシ台１４の一部を硬質な部材で構成するだけで、このブラシ台１４の各係合凹部２１に係合されるブラシ部材２５の基端側をより確実に係合保持できる。よって、ブラシ台１４の各係合凹部２１に係合されるブラシ部材２５の掃除能力を簡単な構成で確実に向上できる。同時に、ブラシ台１４の硬質な部分を少なくできるので、このブラシ台１４を掻取部材１５とともに螺旋状にねじる作業が容易になる。よって、回転ブラシ１３の加工工程をより容易にでき、この回転ブラシ１３の製造性をより向上できる。
【００５０】
また、上記各実施の形態において、係合凹部２１が直線状に形成されたブラシ台１４を、螺旋状にねじった状態で加熱してヒートショックさせて、このブラシ台１４のねじった状態を保持させてもよい。また、ブラシ台１４をＶ字状に螺旋状にねじって、このブラシ台１４に複数の螺旋状部分を設けてもよい。
【００５１】
さらに、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであってもよく、床ブラシ９に回転ブラシ１３を複数配設してもよい。また、回転ブラシ１３をモータ６１にて回転させたが、電動送風機２の吸気風にて回転させてもよい。
【００５２】
また、清掃部材としては、ブラシ部材２５や掻取部材１５に限らず、例えば起毛布などにより構成された布ブレードを有する床磨き部材などの清掃部材であってもよい。さらに、ブラシ台１４のそれぞれ係合凹部２１に、一種類のブラシ部材２５のみを係合させて取り付けたが、複数種の清掃部材を取り付けてもよい。また、ブラシ台１４に係合凹部２１を設けなくてもよく、必要に応じて複数の係合凹部２１をブラシ台１４に設けてもよい。
【００５３】
【発明の効果】
本発明によれば、第１の清掃部材を取付部材とともに一体的に成形してから、この取付部材とともに周方向に向けてねじったので、第１の清掃部材を取付部材に取り付ける工程がなくなり、組立て工程を少なくでき、また、これら第１の清掃部材および取付部材を異なる樹脂にて成形したため、この第１の清掃部材を取付部材とともにねじる作業を容易にできるので、製造をより容易にできる。
【図面の簡単な説明】
【図１】本発明の回転清掃体の第１の実施の形態の一部を示す斜視図である。
【図２】同上回転清掃体を備えた吸込口体を示す縦断面図である。
【図３】同上吸込口体を示す一部を切り欠いた上面図である。
【図４】同上吸込口体を備えた電気掃除機を示す斜視図である。
【図５】本発明の第２の実施の形態の回転清掃体の一部を示す縦断面図である。
【符号の説明】
９    電気掃除機の吸込口体としての床ブラシ
１１    ケース体
１２    吸込口
１３    回転清掃体としての回転ブラシ
１４    取付部材としてのブラシ台
１５    第１の清掃部材としての掻取部材
２１    取付溝部としての係合凹部
２５    第２の清掃部材としての磨き部材であるブラシ部材
７１    取付溝部としての係合部材
【図１】
2004261286.tif 000003
【図２】
2004261286.tif 000004
【図３】
2004261286.tif 000005
【図４】
2004261286.tif 000006
【図５】
2004261286.tif 000007